(57)【要約】【課題】利用者の体型に合った運搬対象物を背中側に背負う服飾雑貨を作製するためのデータを取ることができる測定装置を提供する。【解決手段】利用者Ｐの背中側に配置される背面板材２と、一端が背面板材２の上部に取付けられ他端が背面板材２の下部に取付けられる左右一対のショルダベルト３、３と、を備え、ショルダベルト３の一端は、背面板材２の板厚方向に延びる軸１０により回動可能に軸支されているとともに、軸１０は背面板材２の左右方向に移動可能に取付けられている。【選択図】図１
2020159721.tif 000002
【特許請求の範囲】
【請求項１】
利用者の体型に合った運搬対象物を背中側に背負う服飾雑貨を作製するためのデータを取ることができる測定装置であって、前記利用者の背中側に配置される背面板材と、一端が前記背面板材の上部に取付けられ他端が前記背面板材の下部に取付けられる左右一対のショルダベルトと、を備え、前記ショルダベルトの一端は、前記背面板材の板厚方向に延びる軸により回動可能に軸支されているとともに、前記軸は、前記背面板材の左右方向に移動可能に取付けられていることを特徴とする測定装置。
【請求項２】
前記背面板材には、左右方向に延びる溝部が形成されており、前記軸は、前記溝部に沿って移動可能に取付けられていることを特徴とする請求項１に記載の測定装置。
【請求項３】
前記溝部は、左右方向に離間して一対設けられており、前記一対のショルダベルトにおける前記軸が一対の前記溝部にそれぞれ取付けられていることを特徴とする請求項２に記載の測定装置。
【請求項４】
前記背面板材に対する前記軸部の回動及び移動を規制する規制手段を備えていることを特徴とする請求項１ないし３のいずれかに記載の測定装置。
【請求項５】
前記軸部には、前記ショルダベルトの回動度合を示す角度計が取付けられており、前記背面板材には、前記軸部の左右の移動量を示す定規が取付けられていることを特徴とする請求項１ないし４のいずれかに記載の測定装置。
【請求項６】
前記定規は、前記背面板材の左右中央部を基点として左右方向に延びていることを特徴とする請求項５に記載の測定装置。
【請求項７】
前記背面板材は、上部側背面板材と、該上部側背面板材に前後方向に重合し、かつ該上部側背面板材に上下方向に移動可能に取り付けられる下部側背面板材とからなることを特徴とする請求項１ないし６のいずれかに記載の測定装置。
【請求項８】
前記ショルダベルトの他端は、前記下部側背面板材に対して、該ショルダベルトと前記下部側背面板材との上下方向における取付角度を測定することができる角度計測手段を介して取り付けられていることを特徴とする請求項７に記載の測定装置。
【発明の詳細な説明】
【技術分野】
【０００１】
本発明は、運搬対象物を背中側に背負う服飾雑貨、例えばリュックサック等を利用者の体型に合った形に作製するためのデータを取ることができる測定装置に関する。
【背景技術】
【０００２】
荷物を持ち運ぶ際の一つの手段として、荷物を収容可能な収容部を背中側に背負うリュックサックが使用されている。特許文献１に示されるように、リュックサックは、収容部の利用者側の面における左右端部に一対のショルダベルトが設けられており、ショルダベルトはその上端部が該収容部の上部に固定され、下端部が該収容部の下部に固定されており、一対のショルダベルトと収容部との間に形成される環状の部分に利用者の腕を通し、一対のショルダベルトを両肩に係止させることで、収容部を背中側に背負うことができるようになっている。
【０００３】
また、ショルダベルトは、上下２つのベルト部材により構成されており、上のベルト部材の下端部には、バックルが取付けられ、該バックルに下のベルト部材が連結されている。下のベルト部材に対するバックルの位置を調整することで、ショルダベルトの長さを調整可能となっており、ショルダベルトの長さを調整することで利用者の体に収容部やショルダベルトをフィットさせるようになっている。
【先行技術文献】
【特許文献】
【０００４】
【特許文献１】特開２０１３−５４０５０７号公報（第８頁、第１図）
【発明の概要】
【発明が解決しようとする課題】
【０００５】
上記のような既製品のリュックサックにあっては、ショルダベルトの長さを調整して一対のショルダベルトと収容部との間に形成される環状の部分と利用者との密着度を調整することができるものの、収容部に対するショルダベルトの上端部の左右方向の取付角度や、一対のショルダベルトの間隔が固定されている。例えば、いかり肩やなで肩、肩幅の大きさ等が利用者によって異なるが、利用者の体型によっては、ショルダベルトの長さを調整しても最適なフィット感を得られない虞があった。
【０００６】
本発明は、このような問題点に着目してなされたもので、利用者の体型に合った運搬対象物を背中側に背負う服飾雑貨を作製するためのデータを取ることができる測定装置を提供することを目的とする。
【課題を解決するための手段】
【０００７】
前記課題を解決するために、本発明の測定装置は、
利用者の体型に合った運搬対象物を背中側に背負う服飾雑貨を作製するためのデータを取ることができる測定装置であって、前記利用者の背中側に配置される背面板材と、一端が前記背面板材の上部に取付けられ他端が前記背面板材の下部に取付けられる左右一対のショルダベルトと、を備え、前記ショルダベルトの一端は、前記背面板材の板厚方向に延びる軸により回動可能に軸支されているとともに、前記軸は、前記背面板材の左右方向に移動可能に取付けられていることを特徴としている。
この特徴によれば、背面板材を利用者が背負った状態で、背面板材に対してショルダベルトの角度調整及び左右の位置調整を行うことで、利用者の体型に合った収容部に対するショルダベルトの最適な取付角度や取付位置を測定できる。
【０００８】
前記背面板材には、左右方向に延びる溝部が形成されており、前記軸は、前記溝部に沿って移動可能に取付けられていることを特徴としている。
この特徴によれば、軸の位置を左右方向に無段階調整することができるので、利用者の体型に対し高い精度でショルダベルトの取付位置を測定できる。
【０００９】
前記溝部は、左右方向に離間して一対設けられており、前記一対のショルダベルトにおける前記軸が一対の前記溝部にそれぞれ取付けられていることを特徴としている。
この特徴によれば、左右一対のショルダベルトの取付位置を左右一対の溝部によって別々に調整できるため、利用者の左右の肩の形状の違いに対応することができる。
【００１０】
前記背面板材に対する前記軸部の回動及び移動を規制する規制手段を備えていることを特徴としている。
この特徴によれば、規制手段により背面板材に対する軸部の回動及び移動を規制した状態にできるため、収容部に対するショルダベルトの取付角度や取付位置の測定作業がしやすい。
【００１１】
前記軸部には、前記ショルダベルトの回動度合を示す角度計が取付けられており、前記背面板材には、前記軸部の左右の移動量を示す定規が取付けられていることを特徴としている。
この特徴によれば、角度計と定規によりショルダベルトの一端側の取付角度や取付位置を即座に測定することができる。
【００１２】
前記定規は、前記背面板材の左右中央部を基点として左右方向に延びていることを特徴としている。
この特徴によれば、収容部の左右中央部を基点とした左右一対のショルダベルトの一端までの距離データをそれぞれ計測できる。
【００１３】
前記背面板材は、上部側背面板材と、該上部側背面板材に前後方向に重合し、かつ該上部側背面板材に上下方向に移動可能に取り付けられる下部側背面板材とからなることを特徴としている。
この特徴によれば、下部側背面板材の上下位置を調整可能とすることで、利用者の身長に応じて背面板材の上下寸法を、作製しようとするリュックサックの収容部と同じ上下寸法に調整することができ、歩行の際に作製したリュックサックを安定よく背負うことができる。
【００１４】
前記ショルダベルトの他端は、前記下部側背面板材に対して、該ショルダベルトと前記下部側背面板材との上下方向における取付角度を測定することができる角度計測手段を介して取り付けられていることを特徴としている。
この特徴によれば、利用者の身長に応じた背面板材の上下寸法の調整に応じて、ショルダベルトの他端側の取付角度を上下方向に調整でき、利用者の体型にフィットするショルダベルトを提供できる。
【図面の簡単な説明】
【００１５】
【図１】本発明の実施例１に係る測定装置を利用者の背中側から見た背面図である。
【図２】同じく測定装置の上半部を利用者の前面側から見た正面図である。
【図３】図１のIII−III線における拡大縦断面図である。
【図４】ショルダベルトの下端と背面板材との取付構造を示す一部拡大側面図である。
【図５】本発明の実施例２に係る測定装置の背面図である。
【発明を実施するための形態】
【００１６】
本発明に係る測定装置を実施するための形態を実施例に基づいて以下に説明する。
【実施例１】
【００１７】
実施例１に係る測定装置につき、図１から図４を参照して説明する。以下、利用者Ｐの前面側を前、後面側を後として説明する。
【００１８】
測定装置１は、利用者Ｐの背中側に配置される背面板材２と、一端（上端）が背面板材２の上部に取付けられ、他端（下端）が背面板材２の下部に取り付けられる左右１対のショルダベルト３、３とを備えている。
【００１９】
背面板材２は、合成樹脂等よりなる上部側背面板材２ａと、その前面側に上下方向に移動可能に取り付けられる合成樹脂等よりなる下部側背面板材２ｂとからなっている。上部側背面板材２ａの下部寄りの左右両側部には、上下方向を向く左右１対の長孔４、４が形成され、これらの長孔４に下部側背面板材２ｂの上端部に取り付けられた左右１対の後方を向く支持ボルト５、５を挿通することにより、下部側背面板材２ｂは上部側背面板材２ａに対し上下方向に移動可能に支持されている。
【００２０】
左右の支持ボルト５、５における上部側背面板材２ａから突出する雄ねじ部５ｂ、５ｂには、固定つまみ６、６が螺合され、この固定つまみ６、６を締め付けることにより、下部側背面板材２ｂを任意の上下位置に調整して固定することができる。下部側背面板材２ｂの上下位置を調整可能とするのは、利用者Ｐの身長に応じて背面板材２の上下寸法を、作製しようとするリュックサックの収容部と同じ上下寸法に調整するためであり、例えば背面板材２の上下寸法は、利用者Ｐの第７頸椎から腸骨稜までの長さに調整される。このように調整すると、歩行の際、作製したリュックサックの収容部が臀部の運動に影響されなくなるので、リュックサックを安定よく背負うことができる。
【００２１】
上部側背面板材２ａの上端部には、左右方向に延びる長孔である第１の溝部７、７が左右方向に離間して１対設けられている。図２に示すように、左右のショルダベルト３、３の上端部(付け根部)は、上部側背面板材２ａの前面に摺接する合成樹脂等よりなる可動取付板８、８にビス９、９により着脱可能に固定されている。これにより、形状の異なるショルダベルト３に交換して取付けることができる。
【００２２】
図１と図３に示すように、ショルダベルト３の上端部の幅寸法の中心と整合する位置において左右の可動取付板８の中央部には、上部側背面板材２ａの板厚方向を向くとともに、後端部に雄ねじ部１０ａが形成されたねじ軸１０が、第１の溝部７に沿って左右方向に移動するように形成されている。ねじ軸１０の基部は、可動取付板８がねじ軸１０と一体的に回動するように可動取付板８に圧入されている。これにより、可動取付板８に固定されたショルダベルト３、３の上端部は、実質的にねじ軸１０、１０により回動可能に軸支されている。可動取付板８と上部側背面板材２ａとの間には、摩擦係数の低い樹脂等で形成された補助板２２が配置されており、これらの動作が円滑となっている。
【００２３】
左右のねじ軸１０、１０には、後面に０度から９０度までの角度目盛１１が付された扇状をなす角度計１２、１２のコーナー部が左右対称的に嵌挿されている。これにより、ショルダベルト３の上端部は、可動取付板８、ねじ軸１０及び角度計１２と共に左右方向に移動することができるとともに、ねじ軸１０と共に左右方向に回動することができる。
【００２４】
角度計１２の後方に突出している左右のねじ軸１０、１０には、角度計１２の角度目盛１１を指示する角度指示具１３、１３の上端部が、ねじ軸１０と一体的に回動するように相対回転不能に圧入されており、左右の角度指示具１３、１３が指し示す角度により、左右のショルダベルト３、３の上端部の上部側背面板材２ａへの取付角度、すなわち作製しようとするリュックサックの収容部への取付角度を測定することができる。なお、左右の角度指示具１３は、ショルダベルト３、３の上端部（付け根部）を垂直としたときに水平となり、角度計１２の角度目盛１１の０度を指すようにしてある。
【００２５】
ねじ軸１０、１０の後端部の雄ねじ部１０ａ、１０ａには、固定つまみ１４、１４が螺合され、それらを締め付けることにより、ねじ軸１０、角度指示具１３及びショルダベルト３の上端部の回動と左右方向への移動を規制することができる。なお、固定つまみ１４は、本発明の規制手段に相当する。
【００２６】
上部側背面板材２ａにおける左右の角度計１２の直下には、第１の溝部７、７と平行をなす長孔である第２の溝部１５、１５が左右方向に離間して設けられている。第２の溝部１５、１５の直下において上部側背面板材２ａの後面には、左右のショルダベルト３、３の上端部の左右方向の移動量を示す定規１６、１６が取り付けられている。これらの定規１６、１６は、上部側背面板材２ａの左右中央部を起点として左右方向に延び、起点を０とした目盛１６ａ、１６ａが付されている。
【００２７】
角度計１２と上部側背面板材２ａとの間には、上下方向に延びる連動板２３が配置されており、この連動板２３は上部にねじ軸１０が、下部に第２の溝部１５、１５に左右方向に移動可能に嵌挿された後方を向くねじ軸１７が、それぞれ嵌合されている。図２に示すように、ねじ軸１７の頭部１７ａは四角形の段部１７ｃを備え、が第２の溝部１５に左右方向に移動可能、かつ回動不能に嵌合されている（図３参照）。なお、ねじ軸１７は、上述したねじ軸１０と同様に、ショルダベルト３の上端部の幅寸法の中心位置と整合する位置に取り付けられている。
【００２８】
左右のねじ軸１７、１７には、定規１６、１６の目盛１６ａ、１６ａを指示する左右位置指示具１８、１８が相対回転不能に嵌合され、これらの左右位置指示具１８、１８が目盛１６ａ、１６ａを指し示すことにより、ショルダベルト３、３の上端部の上部側背面板材２ａへの左右方向の取付位置を測定することができる。
【００２９】
ねじ軸１７、１７の後端部は、固定つまみ１９、１９が螺合される雄ねじ部１７ｂ、１７ｂとなっており、固定つまみ１９、１９を締め付けることにより、ねじ軸１７及び左右位置指示具１８の左右方向への移動を規制することができる。
【００３０】
次に、実施例１に係る測定装置１を用いた測定手順について説明する。まず、ショルダベルト３、３を利用者Ｐの両肩に掛けて測定装置１を背中側に配置する。
【００３１】
次いで、前述したように、利用者Ｐの身長に応じて下部側背面板材２ｂを上下方向に移動させ、背面板材２の上下寸法を利用者Ｐの第７頸椎から腸骨稜までの長さに調整する。
【００３２】
次いで、左右の固定つまみ１４、１４を緩めた状態で左右のショルダベルト３、３の上端部を左右方向に回動させ、左右のショルダベルト３、３の上部が利用者Ｐの両肩に隙間なくフィットするように角度を調整する。その後、左右の固定つまみ１４を締付けてねじ軸１０及び角度指示具１３の回動を規制し、左右の角度指示具１３が指し示す角度計１２の角度目盛１１により、左右のショルダベルト３の上端部の取付角度を測定する。この際、左右の肩に対するショルダベルト３、３の取付角度を個別に測定できるので、事故などの要因で利用者Ｐの肩が変形していたり、左右の肩の角度が異なっていたりしても、左右の肩に対しショルダベルト３、３の取付角度を最適に調整することができるとともに、作製しようとするリュックサックを水平に保つことができる。また、左右のショルダベルト３が両肩に隙間なくフィットするように最適な取付角度に調整しうるので、ショルダベルト３に薄い皮革材等を使用することができ、クッション材を取付ける必要がなくなる。
【００３３】
次いで、上部と下部の左右の固定つまみ１４、１９を緩めた状態で、左右のショルダベルト３、３の上端部を左右方向に移動させ、両ショルダベルト３の左右位置（間隔）を利用者Ｐの肩幅や背中の広さに合わせて背負いやすい位置、すなわち疲労を感じ難い最適位置に調整する。その後、固定つまみ１９、１９を締付けてねじ軸１７及び左右位置指示具１８、１８の移動を規制し、左右位置指示具１８、１８が指し示す左右の定規１６、１６の目盛１６ａ、１６ａにより、左右のショルダベルト３の上端部の左右方向の取付位置を測定する。
【００３４】
この際、左右の定規１６、１６には、上部側背面板材２ａの左右中央部を起点０とした目盛１６ａ、１６ａが付されているので、作製しようとするリュックサック収容部の左右中央部を起点として、左右のショルダベルト３、３の上端部の中心までの距離データをそれぞれ測定することができる。尚、上記した左右の定規１６、１６は、対向する端部同士が離間していてもよい。
【００３５】
尚、左右の定規１６、１６はその対向する両端が当接しているため、ふたつの定規によって、左右位置指示具１８、１８同士の距離を測定することができる。これによれば、上部側背面板材２ａの左右中央部を起点として測定しなくてもよい。すなわち、上部側背面板材２ａの左右中央部を利用者Ｐの背中における左右中央部に揃える必要がなく、測定作業が簡便となる。
【００３６】
また、第２の溝部１５、１５は、左右方向に離間して１対設けられ、第２の溝部１５、１５に沿って左右方向に移動するねじ軸１７、１７に左右位置指示具１８、１８が取付けられているので、左右のショルダベルト３、３の左右位置を、利用者Ｐの左右の肩の形状に対応して別々に調整することができる。
【００３７】
さらに、左右位置指示具１８を取付けたねじ軸１７は、左右方向に延びる第２の溝部１５に沿って無段階に移動するので、利用者Ｐの体型に対し高い精度でショルダベルト３の取付位置を測定することができる。
【００３８】
なお、上述した測定作業は、先に左右のショルダベルト３の左右方向の取付位置を測定した後、両ショルダベルト３の取付角度を測定するようにしてもよく、また、それらの作業を同時に並行して行ってもよい。
【００３９】
なお、左右の角度計１２、１２の内側下端に突片を下向きに一体的に突設させ、これらの突片に、第２の溝部１５、１５に左右方向に移動可能に嵌挿されるねじ軸１７、１７を嵌合させることで、連動板２３を省略した構成としてもよい。
【００４０】
以上説明した測定手順により、利用者Ｐの体型に合ったリュックサックを作製するためのデータを取ることができる。なお、図４に示されるように、ショルダベルト３、３の下端（他端）は、ショルダベルト３、３の下端部と下部側背面板材２ｂの両側部との上下方向における取付角度を測定することができる角度計測手段３０を介して下部側背面板材２ｂに取り付けられていている。角度計測手段３０は、下部側背面板材２ｂの下端部の両側部に取付けられる角度計３１と、ショルダベルト３の下端部に取付けられる角度指示具３２とからなり、角度指示具３２が指し示す角度計３１の目盛により、ショルダベルト３の下端の上下方向の取付角度が測定できる。これによれば、背面板材２の上下寸法の調整に応じてショルダベルト３の下端の取付角度を上下方向に調整でき、利用者Ｐの体型にフィットするショルダベルトを提供できる。また、下部側背面板材２ｂに左右方向の定規を取付ければ、リュックサック収容部の幅に対応して、調整ベルトの下端部の左右方向の取付位置も測定することができる。
【００４１】
尚、前記実施例において角度計測手段は、下部側背面板材２ｂの表面に対するショルダベルト３の下端部を構成する帯状の部位の交差方向の取付角度を測定できる構成で説明したが、これに限らず、ショルダベルト３の下端部を構成する帯状の部位の、下部側背面板材２ｂの表面に対する捻れ方向の取付角度を測定することができるような構成としてもよい。例えば、背面板材２に対して回動可能に軸支されるねじ軸等にショルダベルト３の下端部を固定することで、作成されたリュックサックを着用した際にショルダベルトに捻れが生じないように、ショルダベルトの下端部の取付角度を調整できる。
【実施例２】
【００４２】
次に、実施例２に係る測定装置につき、図５を参照して説明する。尚、前記実施例と同一構成で重複する構成の説明を省略する。図５は、実施例２に係る測定装置１を示すもので、この実施例２においては、実施例１における第２の溝部１５、１５、ねじ軸１７、１７及び固定つまみ１９、１９を省略し、左右の角度計１２、１２の内側下端の突片１２ｂ、１２ｂの後面に左右位置指示具２０、２０の上端部をビス２１、２１により固定した構成としてある。
【００４３】
この実施例２の測定装置１においても、ショルダベルト３の移動に連動して、角度計１２と共に左右位置指示具２０が左右方向に移動するので、左右位置指示具２０、２０が指し示す左右の定規１６、１６の目盛１６ａ、１６ａにより、左右のショルダベルト３の上端部の左右方向の取付位置を測定することができる。なお、この実施例２では、ねじ軸１０の回動を規制する固定つまみ１４、１４を利用して左右位置指示具２０の移動を規制することができる。
【００４４】
以上、本発明の実施例を図面により説明してきたが、具体的な構成はこれら実施例に限られるものではなく、本発明の要旨を逸脱しない範囲における変更や追加があっても本発明に含まれる。
【００４５】
例えば、前記実施例では、ショルダベルト３の取付角度を、角度計１２及び角度指示具１３によって測定するようにしたが、角度計１２を省略して角度指示具１３の角度を分度器等により測定するか、または角度計１２及び角度指示具１３を省略し、分度器等によりショルダベルト３の上端部の取付角度を直接測定するようにしてもよい。
【００４６】
また、前記実施例では、ショルダベルト３の左右位置を、定規１６及び左右位置指示具１８により測定するようにしたが、定規１６及び左右位置指示具１８を省略し、定規等によりショルダベルト３の上端部の左右方向の取付位置や間隔を直接計測するようにしてもよい。更に、定規１６の目盛１６ａは、独自の間隔で形成されたものでもよい。
【００４７】
さらに、前記実施例の測定装置は、リュックサックのショルダベルト３の取付角度や取付位置を測定するものとしたが、リュックサックのショルダベルトに限らず、運搬対象物を背中側に背負う服飾雑貨であれば、例えばランドセルのショルダベルトや乳幼児のおんぶ紐等の取付角度や取付位置を測定する際にも、本発明の測定装置を使用することができる。
【符号の説明】
【００４８】
１                測定装置
２                背面板材
２ａ              上部側背面板材
２ｂ              下部側背面板材
３                ショルダベルト
４                長孔
５                支持ボルト
５ｂ              雄ねじ部
６                固定つまみ
７                第１の溝部
８                可動取付板
９                ビス
１０              ねじ軸
１０ａ            雄ねじ部
１１              角度目盛
１２              角度計
１２ｂ            突片
１３              角度指示具
１４              固定つまみ（規制手段）
１５              第２の溝部
１６              定規
１６ａ            目盛
１７              ねじ軸
１７ａ            頭部
１７ｂ            雄ねじ部
１７ｃ            段部
１８              左右位置指示具
１９              固定つまみ
２０              左右位置指示具
２１              ビス
３０              角度計測手段
３１              角度計
３２              角度指示具
Ｐ                利用者
【図１】
2020159721.tif 000003
【図２】
2020159721.tif 000004
【図３】
2020159721.tif 000005
【図４】
2020159721.tif 000006
【図５】
2020159721.tif 000007